(57)【要約】  水性の構造化界面活性剤組成物は、イセチオネート界面活性剤、タウレート界面活性剤およびサルコシネート界面活性剤およびそれらの混合物から選択されるアニオン性界面活性剤、および電解質を含み、そしてパーソナルケアの応用に有用である。【特許請求の範囲】
【請求項１】
水性の構造化界面活性剤組成物であって、１００重量部の組成物に基づき：
（ａ）イセチオネート界面活性剤、タウレート界面活性剤、サルコシネート界面活性剤お
よびそれらの混合物から選択される０より多く４０重量部までの第１のアニオン性
界面活性剤、
（ｂ）任意にイセチオネート界面活性剤、タウレート界面活性剤およびサルコシネート界
面活性剤以外のアニオン性界面活性剤から選択される第２のアニオン性界面活性剤      、
（ｃ）任意に両性界面活性剤、両性イオン性界面活性剤およびそれらの混合物から選択さ
れる１もしくは複数の界面活性剤、および
（ｄ）任意に１もしくは複数の非イオン性界面活性剤、および
（ｅ）任意に１もしくは複数のカチオン性界面活性剤、
ここで界面活性剤（ａ）、（ｂ）、（ｃ）、（ｄ）および（ｅ）の総量は約１０から約４０重量部であり、および
（ｆ）成分（ａ）、（ｂ）、（ｃ）、（ｄ）および（ｅ）と組み合わせて、規則的な液晶
構造を有する界面活性剤相を含んでなる構造化界面活性剤組成物を提供するために
有効な量である、０より多く約３０重量部までの電解質、
を含んでなる上記組成物。
【請求項２】
組成物が１００重量部の組成物に基づき：
（ａ）０より多く４０重量部未満の第１のアニオン性界面活性剤、
（ｂ）０より多く約２０重量部までの第２のアニオン性界面活性剤、
（ｃ）両性界面活性剤、両性イオン性界面活性剤およびそれらの混合物から選択される１
もしくは複数の０より多く２５重量部未満の界面活性剤、および
（ｄ）成分（ａ）、（ｂ）および（ｃ）と組み合わせて、不透明な外観を有し、そして０
パスカルよりも大きい降伏強さを現す構造化界面活性剤組成物を提供するために有
効な量である、０より多く約３０重量部までの電解質、
を含んでなる請求項１に記載の組成物。
【請求項３】
組成物が：
（ａ）約５から約２５重量部の第１のアニオン性界面活性剤、
（ｂ）約０．１から約２０重量部の第２のアニオン性界面活性剤、
（ｃ）両性界面活性剤、両性イオン性界面活性剤およびそれらの混合物から選択される１
もしくは複数の０．５から約１０重量部の界面活性剤、および
（ｄ）２から約６部の電解質、
を含んでなる請求項２に記載の組成物。
【請求項４】
第１のアニオン性界面活性剤がタウレート界面活性剤を含んでなる請求項３に記載の組成物。
【請求項５】
組成物が１００重量部の組成物に基づき：
（ａ）０より多く４０重量部未満の第１のアニオン性界面活性剤、および
（ｂ）０より多く約２０重量部までの第２のアニオン性界面活性剤、および
（ｃ）成分（ａ）および（ｂ）と組み合わせて、不透明な外観を有し、そして０パスカル
よりも大きい降伏強さを現す構造化界面活性剤組成物を提供するために有効な量で
ある、０より多く約３０重量部までの電解質、
を含んでなる請求項１に記載の組成物。
【請求項６】
組成物が１００重量部の組成物に基づき：
（ａ）０より多く４０重量部未満の第１のアニオン性界面活性剤、および
（ｂ）両性界面活性剤、両性イオン性界面活性剤およびそれらの混合物から選択される１
もしくは複数の０より多く約２５重量部までの界面活性剤、および
（ｃ）成分（ａ）および（ｂ）と組み合わせて、不透明な外観を有し、そして０パスカル
よりも大きい降伏強さを現す構造化界面活性剤組成物を提供するために有効な量で
ある、０より多く約３０重量部までの電解質、
を含んでなる請求項１に記載の組成物。
【請求項７】
組成物が１００重量部の組成物に基づき：
（ａ）約１０から約４０重量部の第１のアニオン性界面活性剤、および
（ｂ）成分（ａ）と組み合わせて、不透明な外観を有し、そして０パスカルよりも大きい
降伏強さを現す構造化界面活性剤組成物を提供するために有効な量である、０より
多く約３０重量部までの電解質、
を含んでなる請求項１に記載の組成物。
【請求項８】
水性のパーソナルケア組成物であって、１００重量部の組成物に基づき：
（ａ）イセチオネート界面活性剤、タウレート界面活性剤、サルコシネート界面活性剤お
よびそれらの混合物から選択される０より多く４０重量部までの第１のアニオン性
界面活性剤、
（ｂ）任意にイセチオネート界面活性剤、タウレート界面活性剤およびサルコシネート界
面活性剤以外のアニオン性界面活性剤から選択される第２のアニオン性界面活性剤      、
（ｃ）任意に両性界面活性剤、両性イオン性界面活性剤およびそれらの混合物から選択さ
れる１もしくは複数の界面活性剤、および
（ｄ）任意に１もしくは複数の非イオン性界面活性剤、および
（ｅ）任意に１もしくは複数のカチオン性界面活性剤、
ここで界面活性剤（ａ）、（ｂ）、（ｃ）、（ｄ）および（ｅ）の総量は約１０から約４０重量部であり、および
（ｆ）成分（ａ）、（ｂ）、（ｃ）、（ｄ）および（ｅ）と組み合わせて、規則的な液晶
構造を有する界面活性剤相を含んでなる構造化界面活性剤組成物を提供するために
有効な量である、０より多く約３０重量部までの電解質、および
（ｇ）０重量部より多くの１もしくは複数のパーソナルケアに有益な作用剤、
を含んでなる上記組成物。
【請求項９】
組成物が１００重量部の組成物に基づき：
（ａ）０より多く４０重量部未満の第１のアニオン性界面活性剤、
（ｂ）０より多く約２０重量部までの第２のアニオン性界面活性剤、
（ｃ）両性界面活性剤、両性イオン性界面活性剤およびそれらの混合物から選択される１
もしくは複数の０より多く２５重量部未満の界面活性剤、および
（ｄ）成分（ａ）、（ｂ）および（ｃ）と組み合わせて、不透明な外観を有し、そして０
パスカルよりも大きい降伏強さを現す構造化界面活性剤組成物を提供するために有
効な量である、０より多く約３０重量部までの電解質、
を含んでなる請求項８に記載の組成物。
【請求項１０】
組成物が１００重量部の組成物に基づき：
（ａ）０より多く４０重量部未満の第１のアニオン性界面活性剤、および
（ｂ）０より多く約２０重量部までの第２のアニオン性界面活性剤、および
（ｃ）成分（ａ）および（ｂ）と組み合わせて、不透明な外観を有し、そして０パスカル
よりも大きい降伏強さを現す構造化界面活性剤組成物を提供するために有効な量で
ある、０より多く約３０重量部までの電解質、
を含んでなる請求項８に記載の組成物。
【請求項１１】
組成物が１００重量部の組成物に基づき：
（ａ）０より多く４０重量部未満の第１のアニオン性界面活性剤、および
（ｂ）両性界面活性剤、両性イオン性界面活性剤およびそれらの混合物から選択される１
もしくは複数の０より多く約２５重量部までの界面活性剤、および
（ｃ）成分（ａ）および（ｂ）と組み合わせて、不透明な外観を有し、そして０パスカル
よりも大きい降伏強さを現す構造化界面活性剤組成物を提供するために有効な量で
ある、０より多く約３０重量部までの電解質、
を含んでなる請求項８に記載の組成物。
【請求項１２】
組成物が１００重量部の組成物に基づき：
（ａ）約１０から約４０重量部の第１のアニオン性界面活性剤、および
（ｂ）成分（ａ）と組み合わせて、不透明な外観を有し、そして０パスカルよりも大きい
降伏強さを現す構造化界面活性剤組成物を提供するために有効な量である、０より
多く約３０重量部までの電解質、
を含んでなる請求項８に記載の組成物。
【請求項１３】
組成物がスキンクレンジング組成物であり、そしてパーソナルケアに有益な作用剤が１もしくは複数のヒドロコロイドポリマー、１もしくは複数のスキンコンディショニングオイル、または１もしくは複数のヒドロコロイドポリマーおよび１もしくは複数のスキンコンディショニングオイルを含んでなる請求項８に記載の組成物。
【請求項１４】
組成物が１００重量部の組成物に基づき、ヒドロコロイドポリマーおよびその混合物から選択される最高約２重量部の有益な作用剤を含んでなる請求項１３に記載の組成物。
【請求項１５】
組成物が１００重量部の組成物に基づき、スキンコンディショニングオイルおよびその混合物から選択される約１重量部から約４０重量部の有益な作用剤を含んでなる請求項１３に記載の組成物。
【請求項１６】
組成物が１００重量部の組成物に基づき、ヒドロコロイドポリマーおよびその混合物から選択される最高約２重量部の有益な作用剤を含んでなり、そしてさらにスキンコンディショニングオイルおよびその混合物から選択される約１重量部から約４０重量部の有益な作用剤を含んでなる請求項１３に記載の組成物。
【請求項１７】
組成物がシャンプー組成物であり、そしてパーソナルケアに有益な作用剤が１もしくは複数のヘアコンディショニングオイル、ヘアコンディショニングオイル以外の１もしくは複数の毛髪に有益な作用剤、または１もしくは複数のヘアコンディショニングオイル、ヘアコンディショニングオイル以外の１以上の毛髪に有益な作用剤を含んでなる請求項８に記載の組成物。
【請求項１８】
組成物が１００重量部の組成物に基づき、ヘアコンディショニングオイルおよびその混合物から選択される約０．１重量部から約２０重量部の有益な作用剤を含んでなる、請求項１７に記載の組成物。
【請求項１９】
組成物が１００重量部の組成物に基づき、ヘアコンディショニングオイル以外の約０．０１重量部から約５重量部の毛髪に有益な作用剤およびその混合物から選択される有益な作用剤を含んでなる、請求項１７に記載の組成物。
【請求項２０】
組成物が１００重量部の組成物に基づき、ヘアコンディショニングオイルおよびその混
合物から選択される約０．１重量部から約２０重量部の有益な作用剤、およびさらにヘアコンディショニングオイル以外の約０．０１重量部から約５重量部の毛髪に有益な作用剤およびその混合物から選択される有益な作用剤を含んでなる、請求項１７に記載の組成物。
【請求項２１】
パーソナルケア組成物であって、１００重量部の組成物に基づき：
（ａ）イセチオネート界面活性剤、タウレート界面活性剤、サルコシネート界面活性剤お
よびそれらの混合物から選択される約５から約２５重量部の第１のアニオン性界面
活性剤、
（ｂ）イセチオネート界面活性剤、タウレート界面活性剤およびサルコシネート界面活性
剤以外のアニオン性界面活性剤から選択される約０．１から約２０重量部の第２の
アニオン性界面活性剤、
（ｃ）両性界面活性剤、両性イオン性界面活性剤およびそれらの混合物から選択される０
．５から約１０重量部の１もしくは複数の界面活性剤、および
（ｄ）成分（ａ）、（ｂ）および（ｃ）と組み合わせて、不透明な外観を有し、そして０
パスカルよりも大きい降伏強さを現す構造化界面活性剤組成物を提供するために有
効な量である、２から約６重量部の電解質、
（ｅ）ヒドロコロイドポリマーおよびその混合物から選択される最高約２重量部の有益な
作用剤、および
（ｆ）スキンコンディショニングオイルおよびその混合物から選択される約１重量部から
約４０重量部の有益な作用剤、
を含んでなる上記組成物。
【請求項２２】
第１のアニオン性界面活性剤がイセチオネート界面活性剤およびタウレート界面活性剤の混合物である請求項２１に記載の組成物。
【請求項２３】
第２のアニオン性界面活性剤がトリデシル硫酸の塩である請求項２１に記載の組成物。
【請求項２４】
両性界面活性剤、両性イオン性界面活性剤およびその混合物から選択される１もしくは複数の界面活性剤が、ラウロアンホアセテートまたはラウロアンホジアセテートの塩を含んでなる請求項２１に記載の組成物。
【請求項２５】
ヒドロコロイドポリマーおよびその混合物から選択される有益な作用剤が多糖ヒドロコロイドポリマーのカチオン性誘導体を含んでなる請求項２５に記載の組成物。
【発明の詳細な説明】
【技術分野】
【０００１】
発明の分野
本発明は、界面活性剤組成物、より詳細には構造化（ｓｔｒｕｃｔｕｒｅｄ）界面活性剤組成物に関する。
【背景技術】
【０００２】
発明の背景
構造化界面活性剤組成物は、液体洗剤、洗濯用洗剤、ハードサーフェイスクレンザー（ｈａｒｄ  ｓｕｒｆａｃｅ  ｃｌｅａｎｓｅｒ）、皿洗い用液体のような家庭で使用するための応用（ｈｏｍｅ  ｃａｒｅ  ａｐｐｌｉｃａｔｉｏｎ）、ならびにシャンプー、ボディウォッシュ、ハンドソープ、ローション、クリーム、コンディショナー、シェービング用品、洗顔剤、ベビーケア製剤、スキントリートメントのようなパーソナルケア（ｐｅｒｓｏｎａｌ  ｃａｒｅ）製剤に有用な液晶組成物である。構造化界面活性剤組成物中の界面活性剤は、平面（ｐｌａｎａｒ）および／またはスフェルライト（ｓｐｈｅｒｕｌｉｔｅｓ）の状態であるラメラ相の形態で存在する。通常、界面活性剤相はスフェルライト、すなわち水性相に分散したラメラ滴として存在する。スフェルライトは界面活性剤分子の同心二重層のオニオン様形状からなり、その間にはトラップされた水または電解質溶液がある。排他的な平面ラメラ界面活性剤相または排他的なスフェルライトラメラ界面活性剤相または両形態の組み合わせは、同じ組成物中に共存することができる。構造化界面活性剤組成物は典型的には、これらラメラ界面活性剤相の存在により水不溶性粒子を物理的に懸濁する能力を有するポンプ作用のある（ｐｕｍｐａｂｌｅ）非ニュートン（ｎｏｎ−Ｎｅｗｔｏｎｉａｎ）組成物である。
【０００３】
アニオン性界面活性剤、より典型的にはトリデセス硫酸ナトリウムのような分枝化（Ｃ１０−Ｃ２２）アルキルアルカリ金属硫酸塩に基づく構造化界面活性剤系は知られている。特許文献１は、トリデセス硫酸ナトリウム、脂肪酸もしくは脂肪酸エステル、および両性イオン性もしくは両性界面活性剤を含んでなり、そして強化された凍結解凍安定性を提供する構造化界面活性剤組成物を開示する。特許文献２はアニオン性界面活性剤およびアルカノールアミドを含んでなる構造化界面活性剤組成物を開示する。特許文献３はアニオン性界面活性剤およびカチオン性界面活性剤を含んでなる構造化界面活性剤組成物を開示する。特許文献４はアニオン性界面活性剤およびアミンオキシドを含んでなる構造化界面活性剤組成物を開示する。
【先行技術文献】
【特許文献】
【０００４】
【特許文献１】米国特許６，１５０，３１２号明細書
【特許文献２】米国特許出願公開第ＵＳ２００３／１８０２４６Ａ１号明細書
【特許文献３】米国特許出願公開第ＵＳ２００３／０１９０３０２Ａ１号明細書
【特許文献４】米国特許出願公開第ＵＳ２００６／０１３５６２７−Ａ１号明細書
【発明の概要】
【課題を解決するための手段】
【０００５】
第１の観点では、本発明は１００重量部（“ｐｂｗ”）の組成物に基づき：
（ａ）イセチオネート界面活性剤、タウレート界面活性剤、サルコシネート界面活性剤お
よびそれらの混合物から選択される０より多く約４０ｐｂｗまでの第１のアニオン
性界面活性剤、
（ｂ）任意にイセチオネート界面活性剤、タウレート界面活性剤およびサルコシネート界
面活性剤以外のアニオン性界面活性剤から選択される第２のアニオン性界面活性剤      、
（ｃ）任意に両性界面活性剤、両性イオン性界面活性剤およびそれらの混合物から選択さ
れる１もしくは複数の界面活性剤、
（ｄ）任意に１もしくは複数の非イオン性界面活性剤、および
（ｅ）任意に１もしくは複数のカチオン性界面活性剤、
ここで界面活性剤（ａ）、（ｂ）、（ｃ）、（ｄ）および（ｅ）の総量は約１０から約４０ｐｂｗであり、および
（ｆ）成分（ａ）、（ｂ）、（ｃ）、（ｄ）および（ｅ）と組み合わせて、規則的な液晶
構造を有する界面活性剤相を含んでなる構造化界面活性剤組成物を提供するために
有効な量である、０より多く約３０ｐｂｗまでの電解質、
を含んでなる水性の構造化界面活性剤組成物を対象とする。
【０００６】
第２の観点では、本発明は１００ｐｂｗの組成物に基づき
（ａ）イセチオネート界面活性剤、タウレート界面活性剤、サルコシネート界面活性剤お
よびそれらの混合物から選択される０より多く約４０ｐｂｗまでの第１のアニオン
性界面活性剤、
（ｂ）任意にイセチオネート界面活性剤、タウレート界面活性剤およびサルコシネート界
面活性剤以外のアニオン性界面活性剤から選択される第２のアニオン性界面活性剤      、
（ｃ）任意に両性界面活性剤、両性イオン性界面活性剤およびそれらの混合物から選択さ
れる１もしくは複数の界面活性剤、および
（ｄ）任意に１もしくは複数の非イオン性界面活性剤、および
（ｅ）任意に１もしくは複数のカチオン性界面活性剤、
ここで界面活性剤（ａ）、（ｂ）、（ｃ）、（ｄ）および（ｅ）の総量は約１０から約４０ｐｂｗであり、および
（ｆ）成分（ａ）、（ｂ）、（ｃ）、（ｄ）、（ｅ）と組み合わせて、規則的な液晶構造
を有する界面活性剤相を含んでなる構造化界面活性剤組成物を形成するために有効
な量である、０より多く約３０ｐｂｗまでの電解質、および
（ｇ）０ｐｂｗより多くの１もしくは複数のパーソナルケアのための有益な作用剤（ｂｅ
ｎｅｆｉｔ  ａｇｅｎｔ：有益剤）を含んでなる水性のパーソナルケア組成物を対
象とする。
【０００７】
１つの態様では、界面活性剤相の規則的な液晶構造を有する界面活性剤相の存在は、構造化界面活性剤組成物が不透明な外観および０パスカルより大きい降伏強さを有することを示すことにより間接的に証明される。
【０００８】
１つの態様では、組成物は剪断減粘性（ｓｈｅａｒ  ｔｈｉｎｎｉｎｇ  ｖｉｓｃｏｓｉｔｙ）を現す。
【０００９】
１つの態様では、組成物は不溶性または一部不溶性成分を懸濁することができる。
【発明を実施するための形態】
【００１０】
本発明の詳細な説明および好適な態様
本明細書で使用する用語「界面活性剤」とは、水に溶解した時に表面張力を下げる化合物を意味する。
【００１１】
本発明の組成物は、単独の、またはさらに典型的には水性相が散在する（ｉｎｔｅｒｓｐｅｒｓｅｄ）規則的な液晶界面活性剤相、典型的にはラメラ液晶界面活性剤相、より典型的にはスフェルライトラメラ液晶界面活性剤相を含んでなる。
【００１２】
多くの場合で、組成物のサンプルを低温に暴露することにより凍結し、凍結したサンプルを破砕し、そして１もしくは複数の破砕された凍結サンプルの破砕面を顕微鏡下で調査する「凍結−割断顕微鏡（ｆｒｅｅｚｅ−ｆｒａｃｔｕｒｅ  ｍｉｃｒｏｓｃｏｐｙ）」の技術により、規則的な液晶界面活性剤相の存在を直接的に示すことが可能である。
【００１３】
またそのような相を含んでなる組成物により現される特性の独特な組み合わせに基づく推論を介して、規則的な液晶界面活性剤相の存在を間接的に証明することも可能である。
【００１４】
規則的な液晶界面活性剤相の存在により、本発明の組成物は視診では不透明な外観を現す。本発明の組成物は油のような水不溶性成分の不存在ならびに存在下で不透明な外観を現す。
【００１５】
本明細書で使用する用語「不透明」とは光に対して完全に透過性ではないことを意味し、そして濁った半透明の外観から混濁した外観を通って均一な飽和の白色外観の範囲である。１つの態様では、本発明の構造化界面活性剤化合物は混濁した外観から均一な飽和の白色外観の範囲である。
【００１６】
規則的な液晶界面活性剤相の存在により、本発明の組成物は０パスカルより大きな降伏強さを現す。本明細書で使用する「降伏強さ」とは組成物の流れを誘導するために必要となる適用する力の規模を指す。１つの態様では組成物は、制御された応力／歪流動計を使用して２以上の剪断速度での測定値により決定した時、０．１パスカル（“Ｐａ”）より大きな、より典型的には約１から約１００Ｐａ、そしてさらに一層典型的には約１から約１０Ｐａの降伏強さを現す。ゼロではない降伏強さの存在もしくは不存在は、組成物の流動特性の視覚的観察および例えば手で持ったスパチュラの運動により引き起こされる組成物サンプルの変形に対する組成物の抵抗により定性的基準で確かに決定することができる。
【００１７】
１つの態様では、本発明の組成物は水不溶性もしくは一部水溶性成分を懸濁することができる。そのような成分を懸濁する能力は、ゼロではない降伏強さの存在の明示として見ることができる。
【００１８】
水性組成物の成分に関連して本明細書で使用する用語「水不溶性または一部水溶性成分」とは、成分が水性組成物中にその成分の溶解性の限界より高い濃度で存在するので、水不溶性成分の場合は成分が水性組成物中で実質的に溶解しないままであり、そして一部水溶性成分の場合、そのような成分の少なくとも一部が水性組成物中に非溶解のままであることを意味する。水不溶性または一部水溶性成分は、固体粒子、油滴のような連続もしくは不連続液相、または気泡のような不連続ガス相の状態であることができる。
【００１９】
本明細書で使用する場合、水不溶性もしくは一部水溶性成分を「懸濁することができる」または「懸濁される」ことができるという水性組成物の特性決定は、組成物が組成物中でのそのような成分の浮揚（ｆｌｏｔａｔｉｏｎ）、またはそのような組成物中でのそのような成分の沈下に実質的に抵抗するので、そのような成分はそのような組成物中で中立状態で浮力がある（ｎｅｕｔｒａｌｌｙ  ｂｕｏｙａｎｔ）ように見え、そして少なくとも実質的にそのような組成物中、そのような水性組成物に予想される処理、保存および使用条件下で懸濁状態のままである。水不溶性または一部水溶性成分を懸濁する能力は、本発明のゼロではない降伏強さの１つの明示であり、すなわち本発明の構造化界面活性剤組成物の、低い応力による変形に対する抵抗は水不溶性または一部水溶性成分に及ぼす重力作用に対してバランスを取るために十分であるので、成分は構造化界面活性剤組成物中に懸濁状態のままである。
【００２０】
１つの態様では、本発明の組成物中の規則的な液晶界面活性剤相の存在は、組成物で合わせられた水、界面活性剤および電解質成分が水溶性成分の存在下、そしてさらに重要なことには不存在下で、不透明な外観を現し、そして０パスカルより大きい降伏強さを現すことを示すことにより証明される。
【００２１】
上で検討したように、規則的な液晶界面活性剤相は単独で、またはさらに通常では水性相が散在した状態で、系が静置した時には懸濁した粒子を不動にするために十分であり、しかし剪断応力を適用すると系は通常の液体のようにポンプ作動を可能にする十分に低い流動性を提供する。そのような系は、撹拌、ポンプ送液もしくは注ぐ時には大変低い見かけの粘性を示すが、懸濁物中、時にミリメートル以上のサイズの粒子を維持することができる。
【００２２】
１つの態様では、本発明の組成物は剪断減粘性を現す。粘性に関して本明細書で使用する用語「剪断減粘性」とは、そのような粘性が剪断速度の上昇に伴い低下することを意味する。剪断減粘性とは「非ニュートン」挙動として特徴付けることができ、その場合は例えば水のような古典的なニュートン流体とは異なり、粘性が剪断速度に依存しない。
【００２３】
本明細書で使用するように、組成物が特定の物質を「実質的に含まない」ことの表示は、組成物がその物質を微量（ｉｎｓｕｂｓｔａｎｔｉａｌ  ａｍｏｕｎｔ）しか含まないことを意味し、そして「微量」とは組成物の所望する特性に測定可能な影響を及ぼさない量を意味する。
【００２４】
本明細書で使用するように、組成物が特定物質を「含まない」ことの表示は、組成物がその物質を測定できる量で含まないことを意味する。
【００２５】
本明細書で使用する用語「アルキル」は、一価の飽和直鎖、分枝もしくは環式炭化水素基、典型的には例えばメチル、エチル、ｎ−プロピル、イソ−プロピル、ｎ−ブチル、ｓｅｃ−ブチル、ｔ−ブチル、ペンチル、ｎ−ヘキシル、シクロヘキシルおよびシクロオクチルのような一価の飽和（Ｃ１−Ｃ２０）炭化水素基を意味し、これは場合により基の１もしくは複数の炭素原子ので置換されることができる。１つの態様ではアルキル基は例えばヒドロキシメチル  ヒドロキシエチル、メトキシメチル、エトキシメチル、イソプロポキシエチル、アミノメチル、クロロメチルもしくはトリクロロメチル、カルボキシエチルもしくはホスホノメチルのようにその基の１もしくは複数の炭素原子がヒドロキシ、アルコキシ、アミノ、ハロ、カルボキシまたはホスホノで置換されている。
【００２６】
本明細書で使用する用語「アルキレン」は、二価の飽和直鎖、分枝もしくは環式炭化水素基、典型的には例えばメチレン、ジメチレンのような二価の飽和（Ｃ１−Ｃ２０）炭化水素基を意味する。
【００２７】
本明細書で使用する用語「アルコキシル」は、例えばメトキシル、エトキシル、プロポキシル、イソプロポキシルまたはブトキシルのようなアルキル基で置換されたオキシ基を意味し、これは場合によりさらに基の１もしくは複数の炭素原子で置換されることができる。
【００２８】
本明細書で使用する用語「アルケニル」は、例えばエテニル、１−プロペニル、または２−プロペニルのような１もしくは複数の炭素−炭素二重結合を含む不飽和の直鎖、分枝鎖もしくは環式炭化水素基を意味し、これは場合により基の１もしくは複数の炭素原子で置換されることができる。
【００２９】
本明細書で使用する用語「アリール」は、例えばフェニル、ナフチル、アントリル、フェナントリルまたはビフェニルのような１もしくは複数の６員の炭素環を含有する一価の不飽和炭化水素基を意味し、ここで不飽和は３個の共役二重結合により表すことができ、これらは場合により環の１もしくは複数の炭素で置換されることができる。１つの態様では、アリール基は例えばメチルフェニル、ジメチルフェニル、ヒドロキシフェニル、クロロフェニル、トリクロロメチルフェニルもしくはアミノフェニルのように基の１もしくは複数の炭素原子上でヒドロキシ、アルケニル、ハロ、ハロアルキルもしくはアミノにより置換される。
【００３０】
本明細書で使用する用語「アラルキル」は、例えばフェニルメチル、フェニルエチルもしくはトリフェニルメチルのような１もしくは複数のアリール基で置換されたアルキル基を意味し、これらは場合によりさらに基の１もしくは複数の炭素原子上で置換されることができる。
【００３１】
本明細書で使用する用語「アルカリール」は、例えばメチルフェニル、ジメチルフェニルもしくはトリメチルフェニルのような１もしくは複数のアルキル基で置換されたアリール基を意味し、これらは場合によりさらに基の１もしくは複数の炭素原子上で置換されることができる。
【００３２】
本明細書で使用する用語「ヘテロシクリル」は１個の環または縮合環系を含んでなり、典型的には環または環系あたり４〜１６個の環原子を含んでなる飽和もしくは不飽和の有機基を意味し、ここでそのような環原子は炭素原子、および環または環系毎に例えばＯ、Ｎ、ＳもしくはＰのような少なくとも１つのヘテロ原子を含んでなり、これは例えばチオフェニル、ベンゾチフェニル（ｂｅｎｚｏｔｈｉｐｈｅｎｙｌ）、チアントレニル、ピラニル、ベンゾフラニル、キサンテニル、ピロリジニル、ピロリル、ピラジニル（ｐｙｒａｄｉｎｙｌ）、ピラジニル（ｐｙｒａｚｉｎｙｌ）、ピリマジニル（ｐｙｒｉｍａｄｉｎｙｌ）、ピリダジニル、インドリル、キノニル、カルバゾリル、フェナトロリニル（ｐｈｅｎａｔｈｒｏｌｉｎｙｌ）、チアゾリル、オキサゾリル、フェノキサジニルもしくはホスファベンゼニルのように場合により１もしくは複数の環原子で置換されることができる。
【００３３】
本明細書で使用するように、基が「場合により置換される」か、または「場合によりさらに置換される」ことができるという表示は一般に、明確に、またはそのように引用した文脈によりさらに限定しない限り、そのような基が例えばアルキル、アルケニル、アリール、アラルキル、アルカリール、ヘテロ原子もしくはヘテロシクリルのような１もしくは複数の無機もしくは有機置換基により、あるいはヒドロキシル、カルボニル、カルボキシル、アミノ、イミノ、アミド、ホスホン酸、スルホン酸もしくは砒酸アニオンのような金属イオンを配位することができる１もしくは複数の官能基による置換されることができ、または例えばスルホネートもしくはホスフェートのようなそれらの無機および有機エステルまたはそれらの塩を意味する。
【００３４】
本明細書で使用する有機基に関連する用語「（Ｃｘ−Ｃｙ）」（ここでｘおよびｙは各々整数であり、その基が基あたりｘ個の炭素原子からｙ個の炭素原子を含むことができることを示す。
【００３５】
１つの態様では、本発明の水性の構造化界面活性剤および／またはパーソナルケア組成物は各々、１００重量部の組成物に基づき：
（ａ）０より多く４０ｐｂｗ未満の第１のアニオン性界面活性剤、
（ｂ）０より多く約２０ｐｂｗまでの第２のアニオン性界面活性剤、
（ｃ）両性界面活性剤、両性イオン性界面活性剤およびそれらの混合物から選択される１
もしくは複数の０より多く約２５ｐｂｗまでの界面活性剤、および
（ｄ）成分（ａ）、（ｂ）および（ｃ）と組み合わせて、不透明な外観を有し、そして０
パスカルよりも大きい降伏強さを現す構造化界面活性剤組成物を提供するために有
効な量である、０より多く約３０ｐｂｗまでの電解質、
を含んでなる。
【００３６】
１つの態様では、本発明の水性構造化界面活性剤および／またはパーソナルケア組成物の界面活性剤の総量は、本質的に第１のアニオン性活性剤、第２のアニオン性活性剤および両性界面活性剤、両性イオン性界面活性剤およびそれらの混合物から選択される１もしくは複数の界面活性剤からなる。１つの態様では、本発明の水性構造化界面活性剤および／またはパーソナルケア組成物の界面活性剤の総量は、第１のアニオン性活性剤、第２のアニオン性活性剤、および両性界面活性剤、両性イオン性界面活性剤およびそれらの混合物から選択される１もしくは複数の界面活性剤からなる。
【００３７】
別の態様では、本発明の水性構造化界面活性剤および／またはパーソナルケア組成物は各々、１００ｐｂｗの組成物に基づき：
（ａ）０より多く４０ｐｂｗ未満の第１のアニオン性界面活性剤、および
（ｂ）イセチオネート界面活性剤、タウレート界面活性剤、サルコシネート界面活性剤以
外から選択される０より多く約２０ｐｂｗまでの第２のアニオン性界面活性剤、お
よび
（ｃ）成分（ａ）および（ｂ）と組み合わせて、不透明な外観を有し、そして０パスカル
よりも大きい降伏強さを現す構造化界面活性剤組成物を提供するために有効な量で
ある、０より多く約３０ｐｂｗまでの電解質、
を含んでなる。
【００３８】
１つの態様では、本発明の水性構造化界面活性剤および／またはパーソナルケア組成物の界面活性剤の総量は、本質的に第１のアニオン性活性剤および第２のアニオン性活性剤からなる。１つの態様では、本発明の水性構造化界面活性剤および／またはパーソナルケア組成物の界面活性剤の総量は、第１のアニオン性活性剤および第２のアニオン性活性剤からなる。
【００３９】
別の態様では、本発明の水性構造化界面活性剤および／またはパーソナルケア組成物は各々、１００ｐｂｗの組成物に基づき：
（ａ）０より多く４０ｐｂｗ未満の第１のアニオン性界面活性剤、および
（ｂ）両性界面活性剤、両性イオン性界面活性剤およびそれらの混合物から選択される１
もしくは複数の０より多く約２５ｐｂｗまでの界面活性剤、および
（ｃ）成分（ａ）および（ｂ）と組み合わせて、不透明な外観を有し、そして０パスカル
よりも大きい降伏強さを現す構造化界面活性剤組成物を提供するために有効な量で
ある、０より多く約３０ｐｂｗまでの電解質、
を含んでなる。
【００４０】
１つの態様では、本発明の水性構造化界面活性剤および／またはパーソナルケア組成物の界面活性剤の総量は、本質的に第１のアニオン性活性剤および両性界面活性剤、両性イオン性界面活性剤およびそれらの混合物から選択される１もしくは複数の界面活性剤からなる。１つの態様では、本発明の水性構造化界面活性剤および／またはパーソナルケア組成物の界面活性剤の総量は、第１のアニオン性活性剤および両性界面活性剤、両性イオン性界面活性剤およびそれらの混合物から選択される１もしくは複数の界面活性剤からなる。
【００４１】
別の態様では、本発明の水性構造化界面活性剤およびパーソナルケア組成物は各々、１
００ｐｂｗの組成物に基づき：
（ａ）約１０から約４０ｐｂｗの第１のアニオン性界面活性剤、および
（ｂ）成分（ａ）と組み合わせて、不透明な外観を有し、そして０パスカルよりも大きい
降伏強さを現す構造化界面活性剤組成物を提供するために有効な量である、０より
多く約３０ｐｂｗまでの電解質、
を含んでなる。
【００４２】
１つの態様では、本発明の水性構造化界面活性剤および／またはパーソナルケア組成物は各々、１００ｐｂｗの組成物に基づき約１０から約９０ｐｂｗ、より典型的には約２０から約８０ｐｂｗの水を含んでなる。
【００４３】
１つの態様では、本発明の水性構造化界面活性剤および／またはパーソナルケア組成物の界面活性剤の総量は、本質的に第１のアニオン性活性剤からなる。１つの態様では、本発明の水性構造化界面活性剤および／またはパーソナルケア組成物の界面活性剤の総量は、第１のアニオン性活性剤からなる。
【００４４】
１つの態様では、本発明の水性構造化界面活性剤および／またはパーソナルケア組成物は各々、約２．８〜約１２、より典型的には約４から約１０．０、そしてさらに一層典型的には約５〜約８のｐＨを現す。
【００４５】
界面活性剤
１つの態様では、すべてのアニオン性界面活性剤、両性／両性イオン性界面活性剤、非イオン性界面活性剤およびカチオン性界面活性剤を含め、本発明の水性構造化界面活性剤および／またはパーソナルケア組成物に含まれるすべての界面活性剤の総量は、約１０ｐｂｗから約４０ｐｂｗ、より典型的には約１５ｐｂｗから約３０ｐｂｗ、さらにより一層典型的には約１５ｐｂｗから約２５ｐｂｗである。
【００４６】
１つの態様では、すべてのアニオン性界面活性剤、両性／両性イオン性界面活性剤、非イオン性界面活性剤およびカチオン性界面活性剤を含め、本発明の水性構造化界面活性剤および／またはパーソナルケア組成物に含まれるすべての界面活性剤の総量は、約２０ｐｂｗから約４０ｐｂｗ、より典型的には約３０ｐｂｗから約４０ｐｂｗである。
【００４７】
１つの態様では、すべてのアニオン性界面活性剤、両性／両性イオン性界面活性剤、非イオン性界面活性剤およびカチオン性界面活性剤を含め、本発明の水性構造化界面活性剤および／またはパーソナルケア組成物に含まれるすべての界面活性剤の総量は、すべての界面活性剤の総量の約１０ｐｂｗから約３０ｐｂｗ未満、より典型的には１０ｐｂｗから約２０ｐｂｗ未満である。
【００４８】
（ａ）イセチオネート／タウレート／サルコシネート
１つの態様では、本発明の水性構造化界面活性剤および／またはパーソナルケア組成物は各々、１００ｐｂｗの組成物に基づき約０．５から約４０部ｐｂｗ、より典型的には約２〜約３０ｐｂｗ、そしてさらにより一層典型的には約５〜約２５ｐｂｗの第１のアニオン性界面活性剤を含んでなる。
【００４９】
１つの態様では、本発明の構造化界面活性剤および／またはパーソナルケア組成物に含まれる第１のアニオン性界面活性剤の量は、本発明の構造化界面活性剤および／またはパーソナルケア組成物に含まれる界面活性剤の総量の０より多く１００重量パーセント（重量％）まで、より典型的には約２０から約１００重量％、より一層典型的には約３０から約８０重量％、そしてさらにより一層典型的には約４０から約７０重量％である。
【００５０】
１つの態様では、本発明の構造化界面活性剤および／またはパーソナルケア組成物に含まれる第１のアニオン性界面活性剤の量は、本発明の構造化界面活性剤および／またはパーソナルケア組成物に含まれる界面活性剤の総量の０より多く５０重量パーセント未満まで、より典型的には約５から約４５重量％である。
【００５１】
１つの態様では、本発明の構造化界面活性剤および／またはパーソナルケア組成物に含まれる第１のアニオン性界面活性剤の量は、本発明の構造化界面活性剤および／またはパーソナルケア組成物に含まれる界面活性剤の総量の約５０から１００重量％、より典型的には約５５から約９５重量％である。
【００５２】
１つの態様では、第１のアニオン性界面活性剤は、式（１）：
【００５３】
【化１】
2010505028.tif 000002
【００５４】
（式中：
Ｒ１はアルキル、アルケニル、アリールまたはアラルキルであり、
Ｒ２はアルキレンであり、ここで、場合により１もしくは複数のメチレン単位がアルキル、アルコキシル、アルケニル、アリール、アラルキル、アルカリールまたはヘテロシクリルにより置換されることができ、そして場合により１もしくは複数の位置で酸素原子により中断されることができ、
ＸはＯまたはＮＲ３であり，
ＮＲ３はＨまたはアルキルであり、
Ｙ−はＳＯ３−またはＣＯ２−であり、そして
Ｍ＋はカチオンである）
に従うイセチオネート界面活性剤化合物、タウレート界面活性剤化合物およびサルコシネート界面活性剤化合物から選択される１もしくは複数のアニオン性界面活性剤を含んでなる。
【００５５】
１つの態様では、Ｒ２はメチレンまたはジメチレンである。
【００５６】
１つの態様では、Ｒ２はアルキレンオキシアルキレンまたは２から約５０のオキシアルキレン単位を含んでなるアルキレンポリ（オキシアルキレン）、より典型的にはメチレンポリ（オキシエチレン）、ジメチレンポリ（オキシエチレン）、メチレンポリ（オキシプロピレン）またはジメチレンポリ（オキシプロピレン）である。
【００５７】
１つの態様ではＭ＋がナトリウム、カリウム、リチウム、カルシウム、マグネシウム、アンモニウムカチオン、または例えばイソプロピルアンモニウム、モノエタノールアンモニウム、ジエタノールアンモニウム、もしくはトリエタノールアンモニウムカチオンのようなアンモニウムカチオンである。さらに典型的にはＭ＋はナトリウムカチオンである。
【００５８】
１つの態様では、第１のアニオン性界面活性剤は１もしくは複数のイセチオネート界面活性剤と１もしくは複数のタウレート界面活性剤との混合物からなる。１つの態様では、第１のアニオン性界面活性剤は１もしくは複数のイセチオネート界面活性剤および１もしくは複数のサルコシネート界面活性剤の混合物からなる。１つの態様では、第１のアニオン性界面活性剤は１もしくは複数のタウレート界面活性剤および１もしくは複数のサルコ
シネート界面活性剤の混合物からなる。１つの態様では、第１のアニオン性界面活性剤は１もしくは複数のイセチオネート界面活性剤、１もしくは複数のタウレート界面活性剤、および１もしくは複数のサルコシネート界面活性剤の混合物からなる。
【００５９】
１つの態様では、第１のアニオン性界面活性剤は１もしくは複数のイセチオネート界面活性剤を含んでなる。１つの態様では、第１のアニオン性界面活性剤は１もしくは複数のイセチオネート界面活性剤から本質的になる。１つの態様では、第１のアニオン性界面活性剤は１もしくは複数のイセチオネート界面活性剤からなる。
【００６０】
適切なイセチオネート界面活性剤は、イセチオン酸のエステルおよびその塩である。１つの態様では、第１のアニオン性界面活性剤は、構造（２）：
【００６１】
【化２】
2010505028.tif 000003
【００６２】
ここで：
Ｒ４はアルキル、アルケニル、アリールまたはアラルキルであり、
Ｒ５およびＲ６は各々が独立してＨまたはアルキルであり、そして
Ｍ＋はカチオンである）
に従う１もしくは複数のイセチオネート界面活性剤化合物を含んでなる。
【００６３】
１つの態様では、第１のアニオン性界面活性剤は構造（２）に従う１もしくは複数のＮ−アシルイセチオネート界面活性剤化合物を含んでなり、ここでＲ４は（Ｃ８−Ｃ２２）アルキルであり、そしてＲ５およびＲ６は各々が独立してＨまたは（Ｃ１−Ｃ４）アルキル、より典型的にはＨまたはメチルである。
【００６４】
１つの態様では、第１のアニオン性界面活性剤は構造（２）に従う１もしくは複数のＮ−アシルイセチオネート界面活性剤化合物を含んでなり、ここでＲ４は（Ｃ８−Ｃ２２）アルキルであり、そしてＲ５およびＲ６は各々が独立してＨまたは（Ｃ１−Ｃ４）アルキル、より典型的にはＨまたはメチルであり、そしてＭ＋はナトリウム、カリウムまたはアンモニウムカチオンである。
【００６５】
構造（２）に従う適切なイセチオネート界面活性剤化合物には、例えばラウロイルイセチオン酸ナトリウム、ラウロイルイセチオン酸ナトリウム、ミリストイルイセチオン酸ナトリウム、ココイルイセチオン酸ナトリウム、オレオイルイセチオン酸ナトリウムおよびオレオイルイセチオン酸アンモニウムがある。
【００６６】
１つの態様では第１のアニオン性界面活性剤は、１もしくは複数のタウレート界面活性剤を含んでなる。１つの態様では、第１のアニオン性界面活性剤は１もしくは複数のタウレート界面活性剤から本質的になる。１つの態様では、第１のアニオン性界面活性剤は１もしくは複数のタウレート界面活性剤からなる。
【００６７】
適切なタウレート界面活性剤は、メチルタウリンのアミドおよびその塩である。１つの態様では、第１のアニオン性界面活性剤は、構造（３）：
【００６８】
【化３】
2010505028.tif 000004
【００６９】
ここで：
Ｒ７はアルキル、アルケニル、アリールまたはアラルキルであり、
Ｒ８はＨまたはアルキルであり、
Ｒ９およびＲ１０は各々が独立してＨまたはアルキルであり、そして
Ｍ＋はカチオンである）
に従う１もしくは複数のタウレート界面活性剤化合物を含んでなる。
【００７０】
１つの態様では、第１のアニオン性界面活性剤は構造（３）に従う１もしくは複数のＮ−アシルタウレート界面活性剤化合物を含んでなり、ここでＲ７は（Ｃ８−Ｃ２２）アルキルであり、Ｒ８はＨまたは（Ｃ１−Ｃ４）アルキル、より典型的にはＨまたはメチルであり、そしてＲ９およびＲ１０は各々が独立してＨまたは（Ｃ１−Ｃ４）アルキル、より典型的にはＨまたはメチルである。
【００７１】
１つの態様では、第１のアニオン性界面活性剤は構造（３）に従う１もしくは複数のＮ−アシルタウレート界面活性剤化合物を含んでなり、ここでＲ７は（Ｃ８−Ｃ２２）アルキルであり、Ｒ８はＨまたは（Ｃ１−Ｃ４）アルキル、より典型的にはＨまたはメチルであり、そしてＲ９およびＲ１０は各々が独立してＨまたは（Ｃ１−Ｃ４）アルキル、より典型的にはＨまたはメチルであり、そしてＭ＋はナトリウム、カリウムまたはアンモニウムカチオンである。
【００７２】
構造（３）に従う適切なタウレート界面活性剤化合物には、例えばナトリウム  メチルラウロイル  タウレート、ナトリウム  メチルミリストイル  タウリレート、カリウム  メチルミリストイル  タウレート、ナトリウム  メチルココイル  タウレート、ナトリウム  メチルオレオイル  タウレート、カルシウム  メチルラウロイル  タウレート、カリウム  メチルラウロイル  タウレート、およびアンモニウム  メチルラウロイル  タウレートがある。
【００７３】
１つの態様では第１のアニオン性界面活性剤は、１もしくは複数のサルコシネート界面活性剤を含んでなる。１つの態様では、第１のアニオン性界面活性剤は１もしくは複数のサルコシネート界面活性剤から本質的になる。１つの態様では、第１のアニオン性界面活性剤は１もしくは複数のサルコシネート界面活性剤からなる。
【００７４】
適切なサルコシネート界面活性剤は、サルコシンのアミドおよびその塩である。１つの態様では、第１のアニオン性界面活性剤は、構造（４）：
【００７５】
【化４】
2010505028.tif 000005
【００７６】
ここで：
Ｒ１１はアルキル、アルケニル、アリールまたはアラルキルであり、そして
Ｒ１２はＨまたはアルキルであり、
Ｒ１３はＨ、アルキルであり、そして
Ｍ＋はカチオンである）
に従う１もしくは複数のサルコシネート界面活性剤化合物を含んでなる。
【００７７】
１つの態様では、第１のアニオン性界面活性剤は構造（４）に従う１もしくは複数のサルコシネート界面活性剤化合物を含んでなり、ここでＲ１１は（Ｃ８−Ｃ２２）アルキルであり、そしてＲ１２およびＲ１３は各々が独立してＨまたは（Ｃ１−Ｃ４）アルキル、より典型的にはＨまたはメチルである。
【００７８】
１つの態様では、第１のアニオン性界面活性剤は構造（４）に従う１もしくは複数のサルコシネート界面活性剤化合物を含んでなり、ここでＲ１１は（Ｃ８−Ｃ２２）アルキルであり、Ｒ１２およびＲ１３は各々が独立してＨまたは（Ｃ１−Ｃ４）アルキル、より典型的にはＨまたはメチルであり、そしてＭ＋はナトリウム、カリウムまたはアンモニウムカチオンである。
【００７９】
構造（４）に従う適切なサルコシネート界面活性剤化合物には、例えばナトリウム  ラウロイル  サルコシネート、ナトリウム  ミリストイル  サルコシネート、カリウム  ミリストイル  サルコシネート、ナトリウム  ココイル  サルコシネート、ナトリウム  オレオイル  サルコシネート、トリエタノールアミン  ラウロイル  サルコシネート、およびアンモニウム  オレオイル  サルコシンネートがある。
【００８０】
塩状態の任意のアニオン性界面活性剤のカチオン性対イオンは、典型的にはナトリウムカチオンであるが、代替としてカリウム、リチウム、カルシウム、マグネシウム、アンモニウムカチオンでもよく、あるいはアニソプロピルアンモニウム、モノエタノールアンモニウム、ジエタノールアンモニウム、またはトリエタノールアンモニウムカチオンのような最高６個の脂肪族炭素原子を有するアルキルアンモニウムアニオンでもよい。アンモニウムおよびエタノールアンモニウム塩は一般にナトリウム塩よりも溶解性である。上記カチオンの混合物も適切である。
【００８１】
（ｂ）イセチオネート／タウレート／サルコシネート以外のアニオン性界面活性剤
１つの態様では、本発明の水性構造化界面活性剤および／またはパーソナルケア組成物は各々、１００ｐｂｗの組成物に基づき約０．１から約２０ｐｂｗ、より典型的には約０．１ｐｂｗから約１５ｐｂｗ、そしてさらにより一層典型的には約０．５ｐｂｗから約１０ｐｂｗの上記アニオン性界面活性剤を含んでなる。
【００８２】
１つの態様では、本発明の構造化界面活性剤および／またはパーソナルケア組成物に含まれる第２のアニオン性界面活性剤の量は、本発明の構造化界面活性剤および／またはパーソナルケア組成物に含まれる界面活性剤の総量の０から１００重量％未満、より典型的には０から約８０重量％、より一層典型的には約２０から約７０重量％、そしてさらにより一層典型的には約３０から約６０重量％である。
【００８３】
１つの態様では、本発明の構造化界面活性剤および／またはパーソナルケア組成物に含まれる第２のアニオン性界面活性剤の量は、本発明の構造化界面活性剤および／またはパーソナルケア組成物に含まれる界面活性剤の総量の０から約５０重量％未満、より典型的には約５から約４５重量％である。
【００８４】
１つの態様では、本発明の構造化界面活性剤および／またはパーソナルケア組成物に含まれる第２のアニオン性界面活性剤の量は、本発明の構造化界面活性剤および／またはパーソナルケア組成物に含まれる界面活性剤の総量の５０から約１００重量％未満、より典型的には約５５から約９５重量％である。
【００８５】
適切な第２のアニオン性界面活性剤には例えば、アルキルベンゼンスルホネート、アルファオレフィンスルホネート、パラフィンスルホネート、アルキルエステルスルホネート、アルキルスルフェート、アルキルアルコキシスルフェート、アルキルスルホネート、アルキルアルコキシカルボキシレート、アルキルアルコキシル化スルフェート、モノアルキルホスフェートおよびジアルキルホスフェート、アルキルラクチレート、およびそれらの塩、ならびにそのような化合物の混合物を含む。
【００８６】
１つの態様では、第２のアニオン性界面活性剤はラウリル硫酸アンモニウム、ラウレス硫酸アンモニウム、ラウレス硫酸トリエタノールアミン、ラウリル硫酸モノエタノールアミン、ラウレス硫酸モノエタノールアミン、ラウリル硫酸ジエタノールアンミン、ラウレス硫酸ジエタノールアミン、ラウリン酸モノグリセリド硫酸ナトリウム、ラウリル硫酸ナトリウム、ラウレス硫酸ナトリウム、ラウリル硫酸カリウム、ラウレス硫酸カリウム、トリデセス硫酸ナトリウム、トリデシル硫酸ナトリウム、トリデセス硫酸アンモニウム、トリデシル硫酸アンモニウム、ラウレススルホコハク酸二ナトリウム、モノアルキルリン酸ナトリウム、ジアルキルリン酸ナトリウム、ココイル硫酸アンモニウム、ココイル硫酸ナトリウム、ココイル硫酸カリウム、ココイル硫酸モノエタノールアミン、トリデシルベンゼンスルホン酸ナトリウムおよびドデシルベンゼンスルホン酸ナトリウム、またはそれらの混合物を含んでなる。
【００８７】
１つの態様では、第２のアニオン性界面活性剤は１もしくは複数の分枝および／または不飽和アニオン性界面活性剤を含んでなる。適切な分枝アニオン性界面活性剤には例えばトリデセス硫酸ナトリウム、トリデシル硫酸ナトリウム、トリデセス硫酸アンモニウムおよびトリデシル硫酸アンモニウムがある。
【００８８】
１つの態様では、第２のアニオン性界面活性剤は構造（５）：
【００８９】
【化５】
2010505028.tif 000006
【００９０】
ここで
Ｒ１４は（Ｃ８−Ｃ１８）アルキルまたは（Ｃ８−Ｃ１８）アルケニル、より典型的には（Ｃ１０−Ｃ１４）アルキルであり、
ｍは２、３または４であり、
ｎは１から約７、より典型的には１から８、より一層典型的には１から６の整数であり、
Ｘ＋はカチオンである
に従う１もしくは複数のアニオン性有機硫酸塩（ｏｒｇａｎｏｓｕｌｆａｔｅ）界面活性剤を含んでなる。
【００９１】
１つの態様では、Ｒ１４は分枝（Ｃ８−Ｃ１８）アルキル基または（Ｃ８−Ｃ１８）アルケニル基、より典型的にはトリデシルのような分枝（Ｃ１０−Ｃ１６）アルキル基である。
【００９２】
適切な分枝アルキル基には例えば１−メチルデシル、１−メチルウンデシル、１−メチルドデシル、１−エチルデシル、１−エチルウンデシルおよび１−エチルドデシルのようなメチルデシル基、メチルウンデシル基、メチルドデシル基、エチルデシル基、エチルウンデシル基およびエチルドデシル基を含む。
【００９３】
１つの態様では、ｍは２または３であり、より典型的には２である。
【００９４】
１つの態様では、ｎは１、２、３または４である。本明細書で使用するように、アルキルまたはアルケニル基を接尾辞「エス（ｅｔｈ）」で修飾することは、一般に１もしくは複数のエチレンオキシド単位を加えることを示し、例えばトリデセス（ｔｒｉｄｅｃｅｔｈ）はエトキシル化トリデシル基を指し、そして接尾辞“−ｎ”（ここでｎは整数である）は、基あたりのそのようなエチレンオキシド単位の数を示し、例えば「トリデセス−３」とはトリデシル基あたり３個のエチレンオキシド単位を持つエトキシル化トリデシル基を示す。
【００９５】
１つの態様では、アニオン性有機硫酸塩界面活性剤は、ラウレス硫酸ナトリウム、ラウレス硫酸カリウム、ラウレス硫酸マグネシウム、ラウレス硫酸アンモニウム、ラウレス硫酸モノエタノールアミン、ラウレス硫酸ジエタノールアミン、ラウレス硫酸トリエタノールアミン、トリデセス硫酸ナトリウム、トリデセス硫酸マグネシウム、トリデセス硫酸アンモニウム、トリデセス硫酸モノエタノールアミン、トリデセス硫酸ジエタノールアミンおよびトリデセス硫酸トリエタノールアミン、オレス（ｏｌｅｔｈ）硫酸ナトリウム、オレス硫酸カリウム、オレス硫酸マグネシウム、オレス硫酸アンモニウム、オレス硫酸モノエタノールアミン、オレス硫酸ジエタノールアミン、オレス硫酸トリエタノールアミンから選択される１もしくは複数の化合物を含んでなる。
【００９６】
１つの態様では、アニオン性有機硫酸塩界面活性剤は、トリデセス−１硫酸ナトリウム、トリデセス−１硫酸カリウムおよびトリデセス−１硫酸アンモニウム、トリデセス−２硫酸ナトリウム、トリデセス−２硫酸カリウムおよびトリデセス−２硫酸アンモニウム、トリデセス−３硫酸ナトリウム、トリデセス−３硫酸カリウムおよびトリデセス−３硫酸アンモニウム、トリデセス−４硫酸ナトリウム、トリデセス−４硫酸カリウムおよびトリデセス−４硫酸アンモニウムから選択される１もしくは複数の分枝アルキルエーテル硫酸塩を含んでなる。
【００９７】
１つの態様では、本発明の水性の構造化界面活性剤および／またはパーソナルケア組成物は各々、イセチオネート界面活性剤、タウレート界面活性剤、およびサルコシネート界面活性剤以外のアニオン性界面活性剤を実質的に含まない。１つの態様では、本発明の水性の構造化界面活性剤および／またはパーソナルケア組成物は各々、イセチオネート界面活性剤、タウレート界面活性剤、およびサルコシネート界面活性剤以外のアニオン性界面活性剤を含まない。
【００９８】
（ｃ）両性／両性イオン性界面活性剤
１つの態様では、本発明の水性の構造化界面活性剤および／またはパーソナルケア組成物は各々が１００ｐｂｗの組成物に基づき、約０．１から約２５ｐｂｗ、より典型的には約０．５から約１０ｐｂｗの１もしくは複数の両性界面活性剤および／または両性イオン性界面活性剤（「両性／両性イオン性界面活性剤」）を含んでなる。
【００９９】
１つの態様では、本発明の構造化界面活性剤および／またはパーソナルケア組成物中に含まれる１もしくは複数の両性／両性イオン性界面活性剤の量は、本発明の構造化界面活性剤および／またはパーソナルケア組成物中に含まれる界面活性剤の総量の０から１００重量％未満まで、より典型的には０から約８０重量％、より一層典型的には約２０から約
７０重量％、そしてさらにより一層典型的には約３０から約６０重量％である。
【０１００】
１つの態様では、本発明の構造化界面活性剤および／またはパーソナルケア組成物中に含まれる１もしくは複数の両性／両性イオン性界面活性剤の量は、本発明の構造化界面活性剤および／またはパーソナルケア組成物中に含まれる界面活性剤の総量の０から約５０重量％未満まで、より典型的には約５から約４５重量％である。
【０１０１】
１つの態様では、本発明の構造化界面活性剤および／またはパーソナルケア組成物中に含まれる１もしくは複数の両性／両性イオン性界面活性剤の量は、本発明の構造化界面活性剤および／またはパーソナルケア組成物中に含まれる界面活性剤の総量の５０から１００重量％未満まで、より典型的には約５５から約９５重量％である。
【０１０２】
１つの態様では、両性／両性イオン性界面活性剤は、脂肪族基が直鎖もしくは分枝である脂肪族２級および３級アミンの誘導体を含んでなり、そしてここで脂肪族置換基の１つが約８から約１８個の炭素原子を含み、そして１つがアニオン性の水−可溶化基（ｗａｔｅｒ−ｓｏｌｕｂｉｌｉｚｉｎｇ  ｇｒｏｕｐ）ならびにそれらの混合物を含む。
【０１０３】
適切な脂肪酸アミドの両性／両性イオン性界面活性剤の具体例には、例えばココアンホアセテート  ココアンホプロピオネート、ココアンホジアセテート、ラウロアンホアセテート、ラウロアンホジアセテート、ラウロアンホジプロピオネート、ラウロアンホジアセテート、ココアンホプロピルスルホネート、カプロアンホジアセテート、カプロアンホアセテート、カプロアンホジプロピオネートおよびステアロアンホアセテートのようなアルキルアンホジプロピオネート、アルキルアンホジアセテート、アルキルアンホグリシネートおよびアルキルアンホプロピオネート、ならびにアルキルイミノプロピオネート、アルキルイミノジプロピオネート、およびアルキルアンホプロピルスルホネートのアルカリ金属、アルカリ土類金属、アンモニウムまたは置換アンモニウム塩を含む。
【０１０４】
１つの態様では、両性／両性イオン性界面活性剤はナトリウムラウロアンホアセテート、ナトリウムラウロアンホプロピオネート、二ナトリウムラウロアンホジアセテート、ナトリウムココアンホアセテート、二ナトリウムココアンホジアセテート、またはその混合物を含んでなる。
【０１０５】
１つの態様では、本発明の水性の構造化界面活性剤および／またはパーソナルケア組成物は各々が脂肪酸アミドの両性／両性イオン性界面活性剤を実質的に含まない。１つの態様では、本発明の水性の構造化界面活性剤および／またはパーソナルケア組成物は各々が脂肪酸アミドの両性／両性イオン性界面活性剤を含まない。
【０１０６】
１つの態様では、両性／両性イオン性界面活性剤は脂肪酸アミドの両性／両性イオン性界面活性剤以外の両性／両性イオン性界面活性剤から選択される。
【０１０７】
脂肪酸アミドの両性／両性イオン性界面活性剤以外の適切な両性／両性イオン性界面活性剤には、例えば脂肪アミンの両性／両性イオン性界面活性剤およびココジメチルカルボキシメチルベタイン、ラウリルジメチルカルボキシメチルベタイン、ラウリルジメチルアルファ−カルボキシ−エチルベタイン、セチルジメチルカルボキシメチルベタイン、ラウリルビス−（２−ヒドロキシ−エチル）カルボキシメチルベタイン、ステアリルビス−（２−ヒドロキシ−プロピル）カルボキシメチルベタイン、オレイルジメチルガンマ−カルボキシプロピルベタインおよびラウリルビス−（２−ヒドロキシプロピル）アルファ−カルボキシエチルベタイン、アミドプロピルベタインのようなベタイン界面活性剤、およびココジメチルスルホプロピルベタイン、ステアリルジメチルスルホプロピルベタイン、ラウリルジメチルスルホエチルベタインおよびラウリルビス（２−ヒドロキシ−エチル）スルホプロピルベタインのようなアルキルスルタイン類（ｓｕｌｔａｉｎｅｓ）、およびアルキルアミドプロピルヒドロキシスルタインのようなスルタイン界面活性剤を含む。
【０１０８】
１つの態様では、本発明の水性の構造化界面活性剤および／またはパーソナルケア組成物は各々が両性／両性イオン性界面活性剤を実質的に含まない。１つの態様では、本発明の水性の構造化界面活性剤および／またはパーソナルケア組成物は各々が両性／両性イオン性界面活性剤を含まない。
【０１０９】
（ｄ）非イオン性界面活性剤（Ｎｏｎｉｏｎｉｃｓ）
１つの態様では、本発明の水性の構造化界面活性剤および／またはパーソナルケア組成物は各々が、１００ｐｂｗの組成物に基づき約０．１から約２５ｐｂｗ、より典型的には約０．５から約１０ｐｂｗの１もしくは複数の非イオン性界面活性剤を含んでなる。
【０１１０】
１つの態様では、本発明の構造化界面活性剤および／またはパーソナルケア組成物中に含まれる１もしくは複数の非イオン性界面活性剤の量は、本発明の構造化界面活性剤および／またはパーソナルケア組成物中に含まれる界面活性剤の総量の０から１００重量％未満、より典型的には０から約８０重量％、より一層典型的には約２０から約７０重量％、そしてさらにより一層典型的には約３０から約６０重量％である。
【０１１１】
１つの態様では、本発明の構造化界面活性剤および／またはパーソナルケア組成物中に含まれる１もしくは複数の非イオン性界面活性剤の量は、本発明の構造化界面活性剤および／またはパーソナルケア組成物中に含まれる界面活性剤の総量の０から約５０重量％未満、より典型的には約５から約４５重量％である。
【０１１２】
１つの態様では、本発明の構造化界面活性剤および／またはパーソナルケア組成物中に含まれる１もしくは複数の非イオン性界面活性剤の量は、本発明の構造化界面活性剤および／またはパーソナルケア組成物中に含まれる界面活性剤の総量の５０から１００重量％未満、より典型的には約５５から約９５重量％である。
【０１１３】
１つの態様では、非イオン性界面活性剤は１もしくは複数のアルカノールアミド、アミンオキシド、脂肪アルコール、アルコキシル化脂肪アルコール、脂肪酸および脂肪酸エステルを含んでなる。
【０１１４】
適切なアルカノールアミドには、コカミドＤＥＡ、コカミドＭＥＡ、コカミドＭＩＰＡ、ＰＥＧ−５コカミドＭＥＡ、ラウラミドＤＥＡおよびラウラミドＭＥＡのような脂肪族の酸アルカノールアミド、ならびにアルコキシル化アルカノールアミドおよびそれらの混合物を含む。
【０１１５】
適切なアミンオキシドは、飽和もしくは不飽和の、分枝もしくは直鎖（Ｃ１０−Ｃ２４）アルキルジメチオキシド、または（Ｃ１０−Ｃ２４）アルキルアミドプロピルアミンオキシド、例えばラウラミンオキシド、コカミンオキシド、ステアラミンオキシド、ステアラミドプロピルアミンオキシド、パルミタミドプロピルアミンオキシド、デシルアミンオキシドならびにそれらの混合物を含んでなる。
【０１１６】
適切な脂肪アルコールには、飽和もしくは不飽和の、分枝もしくは直鎖（Ｃ１０−Ｃ２４）アルコール、より典型的には例えばデシルアルコール、ラウリルアルコール、ミリスチルアルコール、セチルアルコール、ステアリルアルコール、オレイルアルコール、リノレイルアルコールおよびリノレニルアルコールのような飽和もしくは不飽和の、分枝もしくは直鎖（Ｃ１０−Ｃ２４）アルコールおよびそれらの混合物を含む。
【０１１７】
適切なアルコキシル化脂肪アルコールにはアルコキシル化された、典型的にはエトキシル化された飽和もしくは不飽和の、分枝もしくは直鎖（Ｃ１０−Ｃ２４）アルコールの誘導体、より典型的には飽和もしくは不飽和の、分枝もしくは直鎖（Ｃ１０−Ｃ２４）アルコールがあり、これは例えば分子あたり平均５個のエチレンオキシド単位を有するエトキシル化ラウリルアルコールのようにアルコキシル化アルコールの分子あたり平均して１〜２２個のアルコキシル単位を含むことができる。これらのアルコキシル化（ａｌｋｏｙｌａｔｅｄ）アルコールの混合物を使用することができる。
【０１１８】
適切な脂肪酸には飽和もしくは不飽和（Ｃ１０−Ｃ２４）カルボン酸、より典型的には例えばラウリン酸、オレイン酸、ステアリン酸、ミリスチン酸、セテアリン酸（ｃｅｔｅａｒｉｃ  ａｃｉｄ）、イソステアリン酸、リノール酸、リノレン酸、リシノール酸、エライジン酸、アラキドン酸（ａｒｉｃｈｉｄｏｎｉｃ  ａｃｉｄ）、ミリストレイン酸、およびパルミトレイン酸のような飽和もしくは不飽和（Ｃ１０−Ｃ２４）カルボン酸、ならびにそれらの中和された変更体を含む。
【０１１９】
適切な脂肪酸エステルには飽和もしくは不飽和（Ｃ１０−Ｃ２４）カルボン酸、より典型的には飽和もしくは不飽和（Ｃ１０−Ｃ２４）カルボン酸のエステル、例えばイソステアリン酸プロピレングリコール、オレイン酸プロピレングリコール、イソステアリン酸グリセリルおよびオレイン酸グリセリルおよびそれらの混合物を含む。
【０１２０】
１つの態様では、本発明の水性の構造化界面活性剤および／またはパーソナルケア組成物は各々がアルカノールアミド、アミンオキシド、脂肪アルコール、アルコキシル化脂肪アルコール、脂肪酸および／または脂肪酸エステルを実質的に含まない。１つの態様では、本発明の水性の構造化界面活性剤および／またはパーソナルケア組成物は各々がアルカノールアミド、アミンオキシド、脂肪アルコール、アルコキシル化脂肪アルコール、脂肪酸および／または脂肪酸エステルを含まない。
【０１２１】
１つの態様では、非イオン性界面活性剤はアルカノールアミド、アミンオキシド、脂肪アルコール、アルコキシル化脂肪アルコール、脂肪酸および脂肪酸エステル以外の非イオン性界面活性剤から選択される。
【０１２２】
アルカノールアミド、アミンオキシド、脂肪アルコール、アルコキシル化脂肪アルコール、脂肪酸および脂肪酸エステル以外の適切な非イオン性界面活性剤には、例えばアルキレンオキシド基と有機疎水性化合物（これは脂肪族またはアルキル芳香族の性質であり得る）との縮合により生成される化合物がある。好適な非イオン性界面活性剤は、アルキルフェノールのポリエチレン、ポリプロピレンおよびポリブチレンオキシド縮合物、およびアルキルポリグリコシド、およびそれらの混合物からなる。
【０１２３】
１つの態様では、本発明の水性の構造化界面活性剤および／またはパーソナルケア組成物は各々が非イオン性界面活性剤を実質的に含まない。１つの態様では、本発明の水性の構造化界面活性剤および／またはパーソナルケア組成物は各々が非イオン性界面活性剤を含まない。
【０１２４】
（ｆ）カチオン性界面活性剤（ｃａｔｉｏｎｉｃｓ）
１つの態様では、本発明の水性の構造化界面活性剤および／またはパーソナルケア組成物は１００ｐｂｗの組成物に基づき各々が、約０．１から約２５ｐｂｗ、より典型的には約０．５から約１０ｐｂｗの１もしくは複数のカチオン性界面活性剤を含んでなる。
【０１２５】
１つの態様では、本発明の構造化界面活性剤および／またはパーソナルケア組成物に含まれる１もしくは複数のカチオン性界面活性剤の量は、本発明の構造化界面活性剤および
／またはパーソナルケア組成物に含まれる界面活性剤の総量の０から１０重量％、より典型的には約０から約５重量％、そしてさらに一層典型的には約０〜約３重量％である。
【０１２６】
適切なカチオン性界面活性剤には例えば以下の式（６）：
【０１２７】
【化６】
2010505028.tif 000007
【０１２８】
式中：
Ｒ１５、Ｒ１６、Ｒ１７およびＲ１８は各々が独立してＨまたは有機基であるが、ただしＲ１５、Ｒ１６、Ｒ１７およびＲ１８の少なくとも１つは水素ではなく、そして
Ｘ−はアニオンである、
に従うモノ−カチオン性界面活性剤を含む。
【０１２９】
Ｒ１５、Ｒ１６、Ｒ１７およびＲ１８の１〜３個がそれぞれＨである場合、化合物をアミン塩と呼ぶことができる。カチオン性アミン類の幾つかの例には、ポリエトキシル化（２）オレイル／ステアリルアミン、エトキシル化タローアミン、ココアルキルアミン、オレイルアミンおよびタローアルキルアミンがある。
【０１３０】
四級アンモニウム化合物（一般にクワット（ｑｕａｔｓ）と呼ばれる）については、Ｒ１５、Ｒ１６、Ｒ１７およびＲ１８は同じか、または異なる有機基であることができるが、水素であることはできない。１つの態様では、Ｒ１５、Ｒ１６、Ｒ１７およびＲ１８は各々が独立して（Ｃ８−Ｃ２４）分枝もしくは直鎖炭化水素基であり、これはさらに例えば脂肪酸または脂肪酸のエステルおよび脂肪酸とアルコキシル化基、アルキルアミド基、芳香族環、複素環式環、フォスフェート基、エポキシ基およびヒドロキシル基とのエステルを含むその誘導体のようなさらなる官能基を含んでなることができる。窒素原子も例えばカタフィル（ｃａｔａｐｈｙｌｌ）モルホリニウムエトスルフェートまたはステアピリウム（ｓｔｅａｐｙｒｉｕｍ）クロライドのような複素環式または芳香族環系の一部であることができる。
【０１３１】
モノアルキルアミン誘導体型の四級アンモニウム化合物の例には：セチルトリメチルアンモニウムブロミド（ＣＥＴＡＢまたはセトリモニウムブロミドとしても知られている）、セチルトリメチルアンモニウムクロライド（セトリモニウムクロライドとしても知られている）、ミリスチルトリメチルアンモニウムブロミド（ミルトリモニウムブロミドまたはＱｕａｔｅｒｎｉｕｍ−１３としても知られている）、ステアリルジメチルベンジルアンモニウムクロライド（ステアラルコニウムクロライドとしても知られている）、オレイルジメチルベンジルアンモニウムクロライド（オレアルコニウムクロライドとしても知られている）、ラウリル／ミリストリルトリメチルアンモニウムメトスルフェート（ココトリモニウムメトスルフェートとしても知られている）、セチルジメリル（２）ヒドロキシエチルアンモニウムジヒドロジェンホスフェート（ヒドロキシエチルセチルジモニウムホスフェートとしも知られている）、ババスアミドプロパルコニウムクロライド、ココトリモニウムクロライド、ジステアリルジモニウムクロライド、小麦胚芽−アミドプロパルコニウムクロライド、ステアリルオクチルジモニウムメトスルフェート、イソステアラミノプロパルコニウムクロライド、ジヒドロキシプロピルＰＥＧ−５リノレアミニウムクロライド、ＰＥＧ−２ステアルモニウムクロライド、Ｑｕａｔｅｒｎｉｕｍ１８、Ｑｕａｔｅｒｎｉｕｍ８０、Ｑｕａｔｅｒｎｉｕｍ８２、Ｑｕａｔｅｒｎｉｕｍ８４、ベヘントリモニウムクロライド、ジセチルジモニウムクロライド、ベヘントリモニウムメトスルフェート、タロートリモニウムクロライドおよびベヘンアミドプロピルエチルジモニウムエトスルフェートがある。混合物も本発明に使用できる。
【０１３２】
ジアルキルアミン誘導体型の四級アンモニウム化合物には、例えばジステアリルジモニウムクロライド、ジセチルジモニウムクロライド、ステアリルオクチルジモニウムメトスルフェート、二水素化パルモイルエチルヒドロキシエチルモニウムメトスルフェート、ジパルミトイルエチルヒドロキシエチルモニウムメトスルフェート、ジオレオイルエチルヒドロキシエチルモニウムメトスルフェート、ヒドロキシプロピルビスステアリルジモニウムクロライドおよびそれらの混合物がある。
【０１３３】
イミダゾリン誘導体型の四級アンモニウム化合物には、例えばイソステアリルベンジルイミドニウムクロライド、ココイルベンジルヒドロキシエチルイミダゾリニウムクロライド、ココイルヒドロキシエチルイミダゾリニウムＰＧ−クロライドホスフェート、Ｑｕａｔｅｒｎｉｕｍ３２およびステアリルヒドロキシエチルイミドニウムクロライドおよびそれらの混合物がある。
【０１３４】
典型的なカチオン性界面活性剤は、ジセチルジモニウムクロライドおよびジステアリルジモニウムクロライドのようなジアルキル誘導体、イソステアリルアミノプロパルコニウムクロライドもしくはオレアルコニウムクロライドのような分枝および／または不飽和カチオン性界面活性剤、ステアラルコニウムクロライドおよびベヘントリモニウムクロライドのような長鎖カチオン性界面活性剤ならびにそれらの混合物がある。
【０１３５】
カチオン性界面活性剤に適切なアニオン性対イオンは、例えばクロライド、ブロミド、メトスルフェート、エトスルフェート、ラクテート、サッカリネート、アセテートおよびホスフェートアニオンがある。
【０１３６】
１つの態様では、本発明の水性の構造化界面活性剤および／またはパーソナルケア組成物は各々がカチオン性界面活性剤を実質的に含まない。１つの態様では、本発明の水性の構造化界面活性剤および／またはパーソナルケア組成物は各々がカチオン性界面活性剤を含まない。
【０１３７】
（ｇ）電解質
１つの態様では、本発明の水性の構造化界面活性剤および／またはパーソナルケア組成物は各々、１００ｐｂｗの組成物に基づき、０より多く約３０ｐｂｗまでの、より典型的には約１から約２０ｐｂｗ、さらにより典型的には約２から約１０ｐｂｗ、さらにより一層典型的には約２ｐｂｗから約６ｐｂｗの電解質を含んでなる。
【０１３８】
１つの態様では、本発明の水性の構造化界面活性剤および／またはパーソナルケア組成物は各々、１００ｐｂｗの組成物に基づき、０より多く約３０ｐｂｗまでの、より典型的には０より多く約２０ｐｂｗまでの、さらにより典型的には０．５より多く約１０ｐｂｗまで、さらにより一層典型的には１．０より多く約８ｐｂｗまでの電解質を含んでなる。
【０１３９】
適切な電解質には、ピロリン酸カリウム、トリポリリン酸カリウムおよびクエン酸ナトリウムもしくはカリウムのような多価アニオンの塩、塩化カルシウムおよび臭化カルシウムならびにハロゲン化亜鉛、塩化バリウムおよび硝酸カルシウムのようなアルカリ土類金属塩を含む多価カチオンの塩、塩化カリウム、塩化ナトリウム、ヨウ化カリウム、臭化ナ
トリウムおよび臭化アンモニウムのようなアルカリ金属塩またはハロゲン化アンモニウム、アルカリ金属もしくはアンモニウム硝酸塩を含む一価アニオンとの一価カチオンの塩、および非キャップ化ポリアクリレート、ポリマレートまたはポリカルボキシレート、リグニンスルホネートまたはナフタレンスルホネートホルムアルデヒドコポリマーのようなポリ電解質を含む。
【０１４０】
電解質は別個の成分として、または本発明の組成物の他の成分と組み合わせて加えることができる。
【０１４１】
本発明の構造化界面活性剤組成物は、場合によりさらにベンジルアルコール、メチルパラベン、プロピルパラベン、またはイミダゾリジニルウレアおよびＤＭＤＭヒダントインのような１もしくは複数の保存剤を含んでなることができ、そして場合によりさらにクエン酸、コハク酸、リン酸、水酸化ナトリウムまたは炭酸ナトリウムのような１もしくは複数のｐＨ調整剤を含むことができる。
【０１４２】
一般に構造化界面活性剤組成物は成分を水と合わせ、そして混合し、そして場合によりｐＨを調整し、かつ／または保存剤を混合物に加えることにより作成される。
【０１４３】
また構造化界面活性剤組成物は高剪断混合に供することができる。本明細書で使用する用語「高剪断混合」とは、高剪断条件下、典型的には約１，０００ｓ−１以上、より典型的には約３，５００ｓ−１以上の剪断速度での混合を指す。構造化界面活性剤組成物は、例えば高剪断ミキサーまたはホモジナイザーのような既知の混合装置中で高剪断混合にかけることができる。
【０１４４】
粘度は、例えば適切なスピンドルを備えたＢｒｏｏｋｆｉｅｌｄ（商標）回転粘度計のような回転粘度計を、１分間に約０．１回転（“ｒｐｍ”）から約６０ｒｐｍの回転速度で使用して既知の粘度測定法により測定される。
【０１４５】
１つの態様では、本発明の水性の構造化界面活性剤および／またはパーソナルケア組成物は、各々が比較的低い剪断条件下、例えば２５℃でＲＶＴ  Ｔバースピンドルを備えたＢｒｏｏｋｆｉｅｌｄ（商標）回転粘度計を使用し、そして０．５ｒｐｍで操作して測定した時、約５，０００センチポイズ（“ｃｐ”）より高い、より典型的には約１０，０００センチポイズより高い粘度を現す。
【０１４６】
１つの態様では、本発明の水性の構造化界面活性剤および／またはパーソナルケア組成物は、各々が剪断減粘性挙動を現し、ここで例えば２５℃でＲＶＴ  Ｔバースピンドルを備えたＢｒｏｏｋｆｉｅｌｄ（商標）回転粘度計を使用し、そして１ｒｐｍで操作するような比較的高い剪断条件下での糖度は、約０．９以下、より典型的には約０．７以下のファクターで比較的低い剪断条件下で測定した同じ組成物の粘度よりも低い。
【０１４７】
本発明の組成物は、植物油、炭化水素油、シリコーン油、固体粒子、研摩剤および類似製品のような水不溶性粒子または一部水溶性成分を懸濁することができる。組成物はそうしなければ界面活性剤混合物に取り込むことが難しい成分を含ませるための手段を提供し、場合によってはクレンジング、保湿、改善された皮膚の感覚、剥離／表皮剥脱（ａｂｒａｓｉｏｎ）、新規外観またはこれら利益の組み合わせを含む多くの機能的利益を持つ化粧用調製物をもたらす。
【０１４８】
組成物が水不溶性または一部水溶性成分を懸濁する能力は、典型的には組成物を十分激しく混合して気泡を組成物中に封入し、次いで気泡が組成物中に例えば１２〜２４時間といった定めた期間、例えば室温のような定めた環境条件下で封入されたままであるかどう
かを視覚的に観察することにより評価される。１つの態様では、本発明の組成物は少なくとも１週間、そしてより典型的には少なくとも３カ月間、気泡を懸濁することができる。室温で少なくとも１２時間、気泡を懸濁することができる組成物は、一般にそのような組成物の予想される処理、保存および使用条件下で、一般に水不溶性または一部水溶性成分を懸濁することができると見なされる。空気以外の成分に関して、空気懸濁試験の結果は目的を成分を使用して類似の懸濁試験を行うことにより確認されるはずである。通常ではない厳密な処理、保存および／または使用条件については、より厳密な試験が適切かもしれない。
【０１４９】
１つの態様では、水不溶性または一部水溶性成分を懸濁する能力は、より厳密な条件下で評価され、すなわち混合したサンプルはサンプルを１もしくは複数の凍結／解凍サイクルに供した後、視覚的に評価され、ここで各凍結／解凍サイクルは−１０℃で１２時間および２５℃で１２時間からなる。１つの態様では、本発明の組成物は１回の凍結／解凍サイクル後、より典型的には３回の凍結／解凍サイクル後に気泡を懸濁する能力を維持する。
【０１５０】
パーソナルケア組成物
本発明の組成物は例えばシャンプー、ボディウォッシュ、ハンドソープ、ローション、クリーム、コンディショナー、シェービング用品、洗顔料、中和シャンプー、個人用ふき取り用品およびスキントリートメントのようなパーソナルケアに使用するもの、ならびに液体洗剤、洗濯用洗剤、ハードサーフェイスクレンザー、皿洗い液体、便器クレンザーのような家庭用品に使用するもの、ならびに油田および農業への応用のような他の応用に有用である。
【０１５１】
１つの態様では、本発明のパーソナルケア組成物は１００ｐｂｗの組成物に基づき、最高約８０ｐｂｗの１もしく複数の「有益剤」、すなわちパーソナルケア組成物の使用者に保湿もしくはコンディショニングのようなパーソナルケアの利益を提供する物質、例えば軟化剤、加湿剤、コンディショナー、ポリマー、ビタミン、研摩剤、ＵＶ吸収剤、抗菌剤、抗フケ剤、香料、感覚（ｓｅｎｓｏｒｙ）剤および／または着色粒子もしくは反射性粒子のような外観修飾添加剤を含んでなり、それは例えば固体、液体もしくはガス状であることができ、そして構造化界面活性剤組成物中で不溶性もしくはわずかに一部可溶性であり得る。有益剤の混合物を使用することができる。
【０１５２】
適切な有益剤には例えば、油、ベントナイト、カオリン、モンモリロナイト、珪酸マグネシウムナトリウム、ヘクトライト、珪酸アルミニウムマグネシウム（Ｖｅｅｇｕｍ）のようなクレー、寒天、アルギネート、アラビノキシラン、カラギーナンのようなヒドロコロイド、カルボキシアルキルセルロース、ヒドロキシアルキルセルロース、ヒドロキシアルキルアルキルセルロース、アルキルセルロースのようなセルロース、カードラン、ゼラチン、ジェラン、β−グルカン、グアガム、アラビアガム、ローカストビーンガム、ペクチン、澱粉、スクシノグリカン、キサンタンガム、ヒドロキシメチルセルロース、ＰＧ−ヒドロキシエチルセルロース、ヒドロキシエチルセルロースの四級アンモニウム、グアガムの四級アンモニウム（ローディア（Ｒｈｏｄｉａ）からのＪａｇｕａｒ  Ｃ−１７、Ｊａｇｕａｒ  Ｃ−１４Ｓ、Ｊａｇｕａｒ  Ｅｘｃｅｌ、Ｊａｇｕａｒ  Ｃ−１６２）ヒドロキシプロピキルグア（Ｊａｇｕａｒ  ＨＰ−８、Ｊａｇｕａｒ  ＨＰ−１０５、Ｊａｇｕａｒ  ＨＰ−６０、Ｊａｇｕａｒ  ＨＰ−１２０、Ｊａｇｕａｒ  Ｃ−１６２）のような修飾化もしくは置換ヒドロコロイド、ヒドロキプロピル澱粉リン酸ナトリウム（グレインプロセッシングコーポレーション（Ｇｒａｉｎ  Ｐｒｏｃｅｓｓｉｎｇ  Ｃｏｒｐｏｒａｔｉｏｎ）からのＰｕｒｅ−Ｇｅｌ  ９８０およびＰｕｒｅ−Ｇｅｌ  ９９８）、修飾ジャガイモ澱粉（ナショナル−スターチ（Ｎａｔｉｏｎａｌ  Ｓｔａｒｃｈ）からのＳｔｒｕｃｔｕｒｅ−Ｓｏｌａｎａｃｅ）のような修飾化澱粉、アクリレート／アミノアクリレート／Ｃ１０−３０アルキルＰＥＧ−２０イタコネートコポリマー（ナショナルスターチからのＳｔｒｕｃｔｕｒｅ−Ｐｌｕｓ）のようなアクリル酸コポリマー、カチオン性ポリマー（チバ（Ｃｉｂａ）からのＲｈｅｏｖｉｓ  ＣＳＰ、Ｒｈｅｏｖｉｓ  ＣＤＥ、Ｒｈｅｏｖｉｓ  ＣＤＰ）、ポリアクリルイミドメチルプロパンスルホネート／ポリクォ−ターニウム−４（ＩＳＰからのＰｌｅｘａｇｅｌ  ＡＳＣ）、疎水的に修飾された非イオン性ポリオール（ローム＆ハース（Ｒｏｈｍ  ＆  Ｈａａｓ）からのＡｃｕｓｏｌ  ８８０、Ａｃｕｓｏｌ  ８８２）、およびＰＥＧ−１５０ジステアレート、香料、カンファーもしくはメントールのような感覚剤、抗フケ剤およびＵＶ吸収剤がある。
【０１５３】
１つの態様では、本発明のパーソナルケア組成物は１００ｐｂｗの組成物に基づき、０ｐｂｗより多く約７０ｐｂｗまでの、より典型的には約０．５から約７０ｐｂｗの、さらにより典型的には約１から約５０ｐｂｗの、そしてさらにより一層典型的には約５から約４０ｐｂｗの、最も典型的には約１０から約３０ｐｂｗの１もしく複数の油を含んでなる。
【０１５４】
適切な油には、例えばラッカセイ油、ヒマシ油、カカオバター、ココナッツ油、コーン油、綿実油、オリーブ油、パーム核油、菜種油、ベニバナ種油、ゴマ油および大豆油を含む植物油、ミリスチン酸ブチル、パルミチン酸セチル、オレイン酸デシル、ラウリン酸グリセリル、リシノール酸グリセリル、ステアリン酸グリセリル、イソステアリン酸グリセリル、ラウリン酸ヘキシル、パルミチン酸イソブチル、ステアリン酸イソセチル、イソステアリン酸イソプロピル、ラウリン酸イソプロピル、リノール酸イソプロピル、ミリスチン酸イソプロピル、パルミチン酸イソプロピル、ステアリン酸イソプロピル、モノラウリン酸プロピレングリコール、リシノール酸プロピレングリコール、ステアリン酸プロピレングリコール、およびイソステアリン酸プロピレングリコールを含むエステル、およびアセチル化ラノリンアルコール、ラノリン、ラード、ミンク油および獣脂を含む動物性脂肪、ペトロラタムのような炭化水素油、およびポリジメチルシロキサン油のようなシリコーン油のようなコンディショニングオイルを含む。
【０１５５】
本発明のパーソナルケア組成物は場合によりさらに、１００ｐｂｗの組成物に基づき、そして各々がそのような材料から独立して、最高約１０ｐｂｗ、典型的には０．５ｐｂｗから約５．０ｐｂｗの、例えばベンジルアルコール、メチルパラベン、プロピルパラベンおよびイミダゾリジニルウレアのような保存剤、塩化ナトリウム、硫酸ナトリウム、ポリビニルアルコールおよびクエン酸ナトリウムのような電解質、クエン酸、コハク酸、リン酸、水酸化ナトリウム、炭酸ナトリウムのようなｐＨ調節剤、染料、およびエチレンジアミン四酢酸二ナトリウムのような封鎖剤のような他の成分を有益剤に加えて含むことができる。他の付加的な任意の成分は当該技術分野で知られている。例えばＣＴＦＡコスメティック  イングレディエンツ  ハンドブック（Ｃｏｓｍｅｔｉｃ  Ｉｎｇｒｅｄｉｅｎｔ  Ｈａｎｄｂｏｏｋ）、第７版、１９９７および第８版、２０００は、本発明の組成物に使用するために適するパーソナルソア組成物に一般的に使用される広範な化粧用および製薬学的材料を記載している。
【０１５６】
１つの態様では、本発明のパーソナルケア組成物は第１の「相」（これは上記のようにこれ自体が水性相、平面ラメラ界面活性剤相およびスフェルライトラメラ界面活性剤相を含む複数の相を含んでなることができる）を形成する本発明の構造化界面活性剤成分を含んでなり、そして組成物はさらにそのような第１の相とは少なくとも実質的に異なる１もしくは複数のさらなる相を含んでなる。本発明の多相の態様という句に関連して、本明細書で使用する用語「実質的に異なる」とは、相が各々、所定の相内で実質的に均一な性質を現し、そしてその相が例えば色、透明度、真珠光沢という視覚的特徴、あるいは粘度、潤滑度のような物理的／化学的特性、および／または有益剤含量のような少なくとも１つの特徴または特性に関して異なることを意味する。
【０１５７】
本発明の組成物はさらに水不溶性粒子または一部不溶性成分を含んでなることができる。
【０１５８】
１つの態様では、本発明の構造化界面活性剤組成物はハンドソープおよびボディウォッシュのようなスキンクレンザーおよびシャンプーから選択されるパーソナルケア組成物である。
【０１５９】
１つの態様では、本発明のパーソナルケア組成物はスキンクレンジング組成物であり、ここでパーソナルケアの有益剤は、１もしくは複数のヒドロコロイドポリマー、１もしくは複数のスキンコンディショニングオイル、または１もしくは複数のヒドロコロイドポリマーおよび１もしくは複数のスキンコンディショニングオイルを含んでなる。
【０１６０】
１つの態様では、本発明のパーソナルケア組成物はスキンクレンジング組成物であり、ここで組成物は１００ｐｂｗの組成物に基づき最高約２ｐｂｗ、より典型的には約０．１ｐｂｗから約１ｐｂｗのヒドロコロイドポリマーおよびその混合物から選択される有益剤を含んでなる。
【０１６１】
１つの態様では、本発明のパーソナルケア組成物はスキンクレンジング組成物であり、ここで組成物は１００ｐｂｗの組成物に基づき約１ｐｂｗから約４０ｐｂｗ、より典型的には約２ｐｂｗから約３０ｐｂｗのスキンコンディショニングオイルおよびその混合物から選択される有益剤を含んでなる。
【０１６２】
１つの態様では、本発明のパーソナルケア組成物はスキンクレンジング組成物であり、ここで組成物は１００ｐｂｗの組成物に基づき最高約２ｐｂｗ、より典型的には約０．１ｐｂｗから約１ｐｂｗのヒドロコロイドポリマーおよびその混合物、および約１ｐｂｗから約４０ｐｂｗ、より典型的には約５ｐｂｗから約２５ｐｂｗのスキンコンディショニングオイルおよびその混合物から選択される有益剤を含んでなる。
【０１６３】
適切なヒドロコロイドには、有益剤について一般的検討で上に記載したものを含む。１つの態様では、ヒドロコロイドポリマーは、多糖ヒドロコロイドポリマーおよび多糖ヒドロコロイドポリマーのカチオン性誘導体を含む多糖ヒドロコロイドポリマーの誘導体から選択される。適切な多糖ヒドロコロイドポリマーおよび誘導体には、グアガム、グアガム誘導体、例えばヒドロキシプロピルトリメチルアンモニウムグア、ヒドロキシプロピルラウリルジメチルアンモニウムグア、ヒドロキシプロピルステアリルジメチルアンモニウムグア、ヒドロキシプロピルグアおよびカルボキシメチルグア、キサンタンガム、キサンタンガム誘導体、澱粉、澱粉誘導体およびそれらの混合物がある。
【０１６４】
適切なスキンコンディショニングオイルには有益剤および適切な油について一般的記載で上に記載したものを含む。１つの態様ではスキンクレンジング組成物のスキンコンディショニングオイル成分は、菜種油、大豆油、シアバター、ベニバナ油、ペトロラタム、シリコーン油またはそれらの混合物を含んでなる。
【０１６５】
１つの態様では本発明のパーソナルケア組成物はシャンプー組成物であり、ここでパーソナルケアの有益剤は１もしくは複数のヘアコンディショニングオイル、ヘアコンディショニングオイル以外の１もしくは複数の毛髪有益剤、または１もしくは複数のヘアコンディショニングオイル、ヘアコンディショニングオイル以外の１以上の毛髪有益剤を含んでなる。
【０１６６】
１つの態様では、本発明のパーソナルケア組成物はシャンプー組成物であり、これは１
００ｐｂｗのシャンプー組成物に基づき約０．１ｐｂｗから約２０ｐｂｗ、より典型的には約０．５ｐｂｗから約１５ｐｂｗのヘアコンディショニングオイルおよびその混合物から選択される有益剤を含んでなる。  
【０１６７】
１つの態様では、本発明のパーソナルケア組成物はシャンプー組成物であり、これは１００ｐｂｗのシャンプー組成物に基づき約０．０１ｐｂｗから約５ｐｂｗのヘアコンディショニングオイルおよびその混合物以外から選択される毛髪有益剤を含んでなる。
【０１６８】
１つの態様では本発明のパーソナルケア組成物はシャンプー組成物であり、これは１００ｐｂｗのシャンプー組成物に基づき約０．１ｐｂｗから約２０ｐｂｗ、より典型的には約０．５ｐｂｗから約１５ｐｂｗのヘアコンディショニングオイルおよびその混合物から選択される有益剤、ならびに約０．０１ｐｂｗから約５ｐｂｗのヘアコンディショニングオイルおよびその混合物以外から選択される毛髪有益剤を含んでなる。
【０１６９】
適切なヘアコンディショニングオイルは室温で流体を維持し、分散し、毛髪に適用した時に炎症を起こさず、しかも毒性でも他に有害でもなく、シャンプー組成物中の他の成分と適合性があり、標準的使用および保存条件下で化学的に安定あり、そして毛髪に沈着し、そしてコンディショニングすることができる油であり、そして炭化水素油、脂肪酸誘導体、脂肪アルコール誘導体油、エステル油、ポリ−αオレフィン油、シリコーン油およびそれらの混合物を含む。１つの態様では、シャンプー組成物のヘアコンディショニングオイル成分は、アルキルおよび／またはアリール置換ポリシロキサン油から選択されるシリコーン油、例えばポリジメチルシロキサン、ポリジエチルシロキサンおよびポリメチルフェニルシロキサン油、ポリアルキレンオキシド−修飾シロキサン、例えばポリプロピレンオキシド修飾化およびポリエチレンオキシド修飾化ポリジメチルシロキサン油、およびアミノ−もしくはアミド置換ポリシロキサン油、例えばアミドジメチコーン油、ならびにそれらの混合物を含んでなる。
【０１７０】
ヘアコンディショニングオイル以外の適切な毛髪有益剤には、例えば抗フケ成分およびＵＶ照射吸収剤がある。適切な抗フケ剤には粒状、結晶状抗フケ剤、例えば硫黄、二硫化セレン、およびピリジンチオンの重金属塩、例えばジンクピリチオン、ならびに可溶性抗フケ剤、例えばケトコナゾールがある。適切なＵＶ照射吸収剤には例えばべンゾトリアゾリルブチルフェノールスルホン酸ナトリウムがある。
【実施例】
【０１７１】
実施例１および２
組成物の実施例１−Ａおよび２−Ａは、列挙する材料を以下の表Ｉで説明する相対的量で混合することにより作成した。
【０１７２】
【表１】
2010505028.tif 000008
【０１７３】
実施例１−Ｂから１−Ｄおよび２−Ｂから２Ｄは各々、塩化アンモニウムを実施例１−Ａおよび２−Ａの組成物の１つに加え、そして組成物のｐＨを５．７５に調整することにより作成した。実施例１−Ａから１−Ｄおよび２−Ａから２−Ｄの各組成物の粘度は、２５℃でＲＴＶ  Ｔバースピンドルを備えたＢｒｏｏｋｆｉｅｌｄ（商標）回転粘度計を使用し、そして１ｒｐｍおよび０．５ｒｐｍで操作することにより測定した。塩化アンモニウムの相対的量（最終組成物の重量に基づく重量パーセント“ｗｔ％”による）、および粘度測定の結果（センチポイズ（“ｃｐ”）で）、および組成物の外観に関する視覚的観察は、実施例１−Ａから１−Ｄおよび２−Ａから２−Ｄの各組成物について以下の表ＩＩに与える。
【０１７４】
【表２】
2010505028.tif 000009
【０１７５】
実施例１−Ａから１−Ｄおよび２−Ａから２−Ｄの組成物の安定性は、これらの組成物のサンプルを異なる温度でコンディショニングした後に相分離を視覚的に観察することにより評価した。実施例１−Ａから１−Ｄの組成物のサンプルは室温に保存した。実施例１
−Ａ、１−Ｂおよび１−Ｃの組成物のサンプルはコンディショニングから２４時間以内に分離した。実施例１−Ｄの組成物のサンプルはコンディショニングから３日以内に分離した。
【０１７６】
実施例２−Ａから２−Ｄの組成物のサンプルは４℃および４５℃で保存した。実施例１−Ａおよび１−Ｄ、Ｃの組成物のサンプルはコンディショニングから２４時間以内に分離した。実施例１−Ｂおよび１−Ｃの組成物のサンプルは、コンディショニングから６週間後も安定していた。
【０１７７】
実施例３から６
実施例３から６の組成物は、列挙する材料を以下の表ＩＩＩで説明する相対的量で混合することにより作成した。
【０１７８】
【表３】
2010505028.tif 000010
【０１７９】
実施例３から６の各組成物は、外観およびゼロではない降伏強さの存在および不存在に関して視覚的に評価した。実施例５および６の各組成物の粘度は、２５℃でＬＶ３スピンドルを備えたＢｒｏｏｋｆｉｅｌｄ（商標）回転粘度計を使用し、そして１２ｒｐｍで操作することにより測定した。実施例３から６の各組成物に関する視覚的評価の結果、および実施例５および６の各組成物関する粘度測定の結果（センチポイズ（“ｃｐ”）で）は、上記表ＩＩＩに与える。
【国際調査報告】
2010505028.tif 000011